(57)【要約】【課題】磁気共鳴映像装置に好適な被検体監視装置において、被検体の特に顔の表情の視認性を向上することにある。【解決手段】磁気共鳴映像装置の寝台の天板上に載置された被検体を監視するための被検体監視装置は、光ファイバ束１と、光ファイバ束の先端部分を天板５から支持するアーム２と、光ファイバ束の後端に光学的に接続され、寝台の本体１０内に配置されるビデオカメラ１１とを具備する。【選択図】図１
2010252970.tif 000002
【特許請求の範囲】
【請求項１】
磁気共鳴映像装置の寝台の天板上に載置された被検体を監視するための被検体監視装置において、
光ファイバ束と、
前記光ファイバ束の先端部分を前記天板から支持するアームと、
前記光ファイバ束の後端に光学的に接続され、前記寝台の本体内に配置されるビデオカメラとを具備することを特徴とする被検体監視装置。
【請求項２】
前記ビデオカメラは磁気的にシールドされていることを特徴とする請求項１記載の被検体監視装置。
【請求項３】
前記光ファイバ束の少なくとも１本の光ファイバに光学的に接続され、前記寝台の本体内に配置される光源をさらに備えることを特徴とする請求項１記載の被検体監視装置。
【請求項４】
前記光ファイバ束は、前記磁気共鳴映像装置の高周波コイルの信号ケーブルと同経路により前記寝台の本体内に導入されることを特徴とする請求項１記載の被検体監視装置。
【請求項５】
前記寝台の複数箇所に配置された前記光ファイバ束と接続／分離自在な複数のコネクタをさらに備えることを特徴とする請求項１記載の被検体監視装置。
【発明の詳細な説明】
【技術分野】
【０００１】
本発明は、磁気共鳴映像装置（ＭＲＩ装置）に用いられる被検体監視装置に関する。
【背景技術】
【０００２】
ＭＲＩ装置用患者モニタ装置としてカメラを撮影室壁面または架台後方の上部より俯瞰する位置に取付ける方法がとられている。
【０００３】
ＭＲＩ装置においては局部撮影用受信コイルを使用して撮像するのが主流であり、特に頭部撮像用コイルを使用した場合は、コイルが患者頭部を覆うため、一部空隙は存在するものの従来手法では患者の表情が全く見えなくなってしまうのが実情であった。また、患者の位置によって見えたり見えなかったりと、一定の患者状態把握が困難であった。
【０００４】
患者監視装置としては一般的にＣＣＤカメラ等が使用されている。ＭＲＩ装置内でＣＣＤを使用した場合は、ＣＣＤが高周波磁場の影響を受けて機能不良や過熱の問題が発生や、また、装置側へのノイズ混入が問題になり、架台内にカメラを設置することは困難であった。（架台内にカメラを設置した場合は患者移動時の障害になり、安全上の問題も発生する）
患者監視モニタの主目的は患者状態把握にあり、特に検査中嘔吐の吐瀉物による呼吸不全等を監視するために患者表情（顔）が確認できることが必要になるが、上記の様に必要な機能を果たしていない。
【先行技術文献】
【特許文献】
【０００５】
【特許文献１】特開２００２−１０２２０３号公報
【発明の概要】
【発明が解決しようとする課題】
【０００６】
本発明の目的は、磁気共鳴映像装置に好適な被検体監視装置において、被検体の特に顔の表情の視認性を向上することにある。
【課題を解決するための手段】
【０００７】
本発明のある局面は、磁気共鳴映像装置の寝台の天板上に載置された被検体を監視するための被検体監視装置において、光ファイバ束と、前記光ファイバ束の先端部分を前記天板から支持するアームと、前記光ファイバ束の後端に光学的に接続され、前記寝台の本体内に配置されるビデオカメラとを具備する。
【発明の効果】
【０００８】
本発明によれば、磁気共鳴映像装置に好適な被検体監視装置において、被検体の特に顔の表情の視認性を向上することができる。
【図面の簡単な説明】
【０００９】
【図１】本発明の実施形態に係る被検体監視装置の構成を示す図である。
【図２】図１の寝台天板が移動したときの被検体監視装置の状態を示す図である。
【図３】図１の被検体監視装置の光ファイバ束ケーブルを高周波コイルケーブルとともに示す図である。
【図４】図１の被検体監視装置の光ファイバ束を寝台及び頭部コイルとともに示す外観図である。
【図５】従来の被検体監視装置の構成を示す図である。
【発明を実施するための形態】
【００１０】
以下、本発明の実施形態について図面を参照しながら説明する。本実施形態に係る被検体監視装置は、磁気共鳴映像装置に適用される。まず磁気共鳴映像装置について簡単に説明する。磁気共鳴診断装置はコイルアセンブリ（ガントリともいう）を主要構造物としている。コイルアセンブリには略中央部に略円筒形状の開口部が開けられている。撮影時には、被検体は寝台の天板に載置された状態で、この開口部内に挿入される。コイルアセンブリには、その開口部の周囲に外側から内側に向かって順番に静磁場コイル、傾斜磁場コイル、高周波コイル（ＲＦコイル）が設けられている。高周波コイルは、コンソールの送信器から周波数調整されている高周波電流パルスの供給を受けて、高周波磁場パルスを発生する。この高周波磁場パルスにより被検体内の特定原子核の磁化スピンが励起されて横磁化成分が発生する。コンソールの受信器は、高周波コイルを介して、磁化スピンの横磁化成分から発生する磁気共鳴信号を受信する。コンソールのプロセッサは、受信器からのディジタル信号から、位相エンコード軸と周波数エンコード軸それぞれに関するフーリエ変換処理によって画像データを再構成する。コンソールのディスプレイは、プロセッサで再構成された画像データを表示する。コントローラは、装置全体の動作を制御するために設けられている。このコントローラにはシーケンスコントローラが設けられており、シーケンスコントローラはパルスシーケンスデータに従って傾斜電源、送信器、受信器を制御してパルスシーケンスを実行する。
【００１１】
本実施形態に係る被検体監視装置は、磁気共鳴映像装置の寝台に適用される。  
図１、図２、図３に示すように、寝台は、被検体を載置するための天板５と、天板５をその長手軸に沿って移動自在に支持する寝台本体１０とを有している。天板５には局所用高周波コイル、例えば被検体の頭部を収容する頭部用高周波コイル１７が設置可能である。頭部用高周波コイル１７からの高周波信号ケーブル１８を、可撓性ケーブル４に着脱自在に接続するためのコネクタ（天板コネクタ）３が天板５の側面に設けられている。可撓性ケーブル４は寝台本体コネクタ６を介して寝台本体１０の内部に導入され、そして寝台本体１０を経由して可撓性ケーブル２２によりコンソールの送受信器２３に接続される。
【００１２】
本実施形態に係る被検体監視装置は、複数の光ファイバからなるビデオファイバとしての光ファイバ束１を有する。光ファイバ束１は、天板５に任意の位置で装着可能な多関節アーム２に姿勢自在に支持される。天板５には複数の箇所に配置された光コネクタ３が設けられ、任意の光コネクタ３で光ファイバ束１と光学的に接続される。光ファイバ束１は、高周波コイル１７からの高周波信号線１８と同じ経路を通り寝台本体１０に導入される。典型的には、光ファイバ束１は、高周波コイル１７からの高周波信号線１８とともに可撓性ケーブル４に収容される。
【００１３】
寝台本体１０には、ビデオカメラ、典型的にはＣＣＤカメラ１１が収容される。ＣＣＤカメラ１１には光ファイバ束７の後端が光学的に接続される。光ファイバ束７の少なくとも一本の光ファイバ８は光源１２に光学的に接続され、被検体を照らす照明用として用いられる。この照明用の光ファイバ８は、単に被検体を照らす用途だけでなく、被検体に対する息止めなどの指示にも用いられる。
【００１４】
ＣＣＤカメラ１１の信号出力線１４は、光源１２の制御線１５とともに、磁気シールドされたケーブル１３に束ねられて、寝台本体１０から引き出される。ＣＣＤカメラ１１の信号出力線１４は、コンソールのディスプレイ２５と、ガントリが据え付けられている撮影室内のディスプレイ２６とに接続される。被検体の顔の表情を映した映像は、コンソールディスプレイ２５と撮影室内ディスプレイ２６との両方に表示される。光源１２の制御線１５は、コンソールのシーケンスコントローラ２４に接続される。シーケンスコントローラ２４は、パルスシーケンスの進行の中で被検体に対する息止めなどの指示を、照明用の光ファイバからの光照射により被検体に出すことができる。
【００１５】
高周波コイル１７からの高周波信号線１８は、ＣＣＤカメラ１１の信号出力線１４及び光源１２の制御線１５のケーブル１３とは別に、寝台本体１０から磁気シールドされたケーブル２２で引き出されていて、高周波コイル１７の高周波信号線１８へのノイズ混入の防止が確保されている。
【００１６】
本実施形態によれば、頭部コイル等を使用した場合でも患者の表情を明瞭に観察できるモニタシステムとして機能するのみならず、患者位置が変わった場合も同様である。
【００１７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【産業上の利用可能性】
【００１８】
本発明は、磁気共鳴映像装置に好適な被検体監視装置において、被検体の特に顔の表情の視認性を向上することに用いられる。
【符号の説明】
【００１９】
１…光ファイバ束（ビデオファイバ）、２…多関節アーム、３…天板コネクタ、４…可とう性複合ケーブル、５…寝台天板、６…寝台コネクタ、７…光ファイバ束、８…照明用ファイバ、９…高周波信号線、１０…寝台本体、１１…ＣＣＤカメラ（ビデオカメラ）、１２…光源、１３…ビデオケーブル、１４…ビデオ信号線、１５…照明用信号線、１６…高周波信号線。
【図１】
2010252970.tif 000003
【図２】
2010252970.tif 000004
【図３】
2010252970.tif 000005
【図４】
2010252970.tif 000006
【図５】
2010252970.tif 000007